(57)【要約】【課題】郵便物の収集作業時間の短縮を図ることができる郵便ポスト及び郵便物収集システムを提供すること。【解決手段】郵便ポスト１００は、投函口１と、郵便物収容部２と、異物収容部３と、投函口１の裏側に配設され、郵便物及び異物の投函時に作動し投函口１を開放する外蓋５と、投函口１に投函された郵便物によって作動し郵便物を郵便物収容部２に案内する内蓋６とを備え、外蓋５の作動を検出する外蓋スイッチ５９Aと、内蓋６の作動を検出する内蓋スイッチ５９Bと、外蓋スイッチ５９Aからの外蓋作動信号及び内蓋スイッチ５９Bからの内蓋作動信号に基づいて、所定期間内における郵便物収容部２内の郵便物の有無及び異物収容部３内の異物の有無を判定する制御回路６１を備える。【選択図】図３
2008113867.tif 000002
【特許請求の範囲】
【請求項１】
投函口と、郵便物収容部と、異物収容部と、前記郵便物収容部内の郵便物の有無を検出する郵便物検出手段と、前記異物収容部内の異物の有無を検出する異物検出手段とを備えることを特徴とする郵便ポスト。
【請求項２】
郵便物取出し用扉の開閉を検出する扉開閉検出手段と、該扉開閉検出手段による扉開閉信号に基づいて郵便物収集回数を計数し表示する収集作業表示手段とを備えることを特徴とする請求項１に記載の郵便ポスト。
【請求項３】
前記扉開閉検出手段はスイッチからなることを特徴とする請求項２に記載の郵便ポスト。
【請求項４】
外面に太陽電池を備え、前記郵便物検出手段及び前記異物検出手段は、前記太陽電池の起電力に基づき電力供給を受けることを特徴とする請求項１に記載の郵便ポスト。
【請求項５】
外面に太陽電池を備え、前記郵便物検出手段、前記異物検出手段、前記扉開閉検出手段及び前記収集作業表示手段は、前記太陽電池の起電力に基づき電力供給を受けることを特徴とする請求項２又は３に記載の郵便ポスト。
【請求項６】
請求項１に記載の郵便ポストであって、前記郵便物検出手段による郵便物有無信号及び前記異物検出手段による異物有無信号をそれぞれ無線で発信する郵便物・異物有無発信手段を備える郵便ポストと、前記郵便物・異物有無発信手段からの郵便物有無信号及び異物有無信号を受信可能なリモコンとからなる郵便物収集システムであって、前記リモコンは、前記郵便物・異物有無発信手段からの郵便物有無信号及び異物有無信号に基づいて郵便物の有無及び異物の有無を報知する報知手段を備えることを特徴とする郵便物収集システム。
【請求項７】
前記郵便ポストは、郵便物取出し用扉を施錠及び開錠するリモコン錠を備え、前記リモコンは、前記リモコン錠に施錠指示信号及び開錠指示信号を発信する錠制御信号発信手段を備えることを特徴とする請求項６に記載の郵便物収集システム。
【請求項８】
前記郵便ポストは、郵便物取出し用扉の開閉を検出する扉開閉検出手段と、該扉開閉検出手段による扉開閉信号に基づいて郵便物収集回数を計数し収集回数信号を発信する収集作業発信手段とを備え、前記リモコンは、前記収集作業発信手段からの収集回数信号に基づいて郵便物収集回数を報知する収集作業報知手段を備えることを特徴とする請求項６又は７に記載の郵便物収集システム。
【請求項９】
前記扉開閉検出手段はスイッチからなることを特徴とする請求項８に記載の郵便物収集システム。
【請求項１０】
前記郵便ポストの外面に太陽電池を備え、前記郵便物検出手段、前記異物検出手段及び前記郵便物・異物有無発信手段は、前記太陽電池から電力供給を受けることを特徴とする請求項６に記載の郵便物収集システム。
【請求項１１】
前記郵便ポストの外面に太陽電池を備え、前記郵便物検出手段、前記異物検出手段、前記郵便物・異物有無発信手段及び前記リモコン錠は、前記太陽電池から電力供給を受けることを特徴とする請求項７に記載の郵便物収集システム。
【請求項１２】
前記郵便ポストの外面に太陽電池を備え、前記郵便物検出手段、前記異物検出手段、前記郵便物・異物有無発信手段、前記リモコン錠、前記扉開閉検出手段及び前記収集作業発信手段は、前記太陽電池から電力供給を受けることを特徴とする請求項８に記載の郵便物収集システム。
【請求項１３】
投函口と、郵便物収容部と、異物収容部と、前記投函口の裏側に配設され、郵便物及び異物の投函時に作動し前記投函口を開放する外蓋と、前記投函口に投函された郵便物によって作動し該郵便物を前記郵便物収容部に案内する内蓋とを備える郵便ポストにおいて、
前記外蓋の作動を検出する外蓋作動検出手段と、前記内蓋の作動を検出する内蓋作動検出手段と、前記外蓋作動検出手段からの外蓋作動信号及び前記内蓋作動検出手段からの内蓋作動信号に基づいて、所定期間内における前記郵便物収容部内の郵便物の有無及び前記異物収容部内の異物の有無を判定する郵便物・異物有無判定手段とを備えることを特徴とする郵便ポスト。
【請求項１４】
前記外蓋作動検出手段及び前記内蓋作動検出手段はそれぞれスイッチからなることを特徴とする請求項１３に記載の郵便ポスト。
【請求項１５】
郵便物取出し用扉の開閉を検出する扉開閉検出手段と、該扉開閉検出手段による扉開閉信号に基づいて郵便物収集回数を計数し表示する収集作業表示手段とを備えることを特徴とする請求項１３又は１４に記載の郵便ポスト。
【請求項１６】
前記扉開閉検出手段はスイッチからなることを特徴とする請求項１５に記載の郵便ポスト。
【請求項１７】
外面に太陽電池を備え、前記外蓋作動検出手段、前記内蓋作動検出手段及び前記郵便物・異物有無判定手段は、前記太陽電池の起電力に基づき電力供給を受けることを特徴とする請求項１３又は１４に記載の郵便ポスト。
【請求項１８】
外面に太陽電池を備え、前記外蓋作動検出手段、前記内蓋作動検出手段、前記郵便物・異物有無判定手段、前記扉開閉検出手段及び前記収集作業表示手段は、前記太陽電池の起電力に基づき電力供給を受けることを特徴とする請求項１５又は１６に記載の郵便ポスト。
【請求項１９】
請求項１３又は１４に記載の郵便ポストであって、前記郵便物・異物有無判定手段による郵便物・異物有無信号を無線で発信する郵便物・異物有無発信手段を備える郵便ポストと、前記郵便物・異物有無発信手段からの郵便物・異物有無信号を受信可能なリモコンとからなる郵便物収集システムであって、前記リモコンは、前記郵便物・異物有無発信手段からの郵便物・異物有無信号に基づいて郵便物の有無及び異物の有無を報知する報知手段を備えることを特徴とする郵便物収集システム。
【請求項２０】
前記郵便ポストは、郵便物取出し用扉を施錠及び開錠するリモコン錠を備え、前記リモコンは、前記リモコン錠に施錠指示信号及び開錠指示信号を発信する錠制御信号発信手段を備えることを特徴とする請求項１９に記載の郵便物収集システム。
【請求項２１】
前記郵便ポストは、郵便物取出し用扉の開閉を検出する扉開閉検出手段と、該扉開閉検出手段による扉開閉信号に基づいて郵便物収集回数を計数し収集回数信号を発信する収集作業発信手段とを備え、前記リモコンは、前記収集作業発信手段からの収集回数信号に基づいて郵便物収集回数を報知する収集作業報知手段を備えることを特徴とする請求項１９又は２０に記載の郵便物収集システム。
【請求項２２】
前記扉開閉検出手段はスイッチからなることを特徴とする請求項２１に記載の郵便物収集システム。
【請求項２３】
外面に太陽電池を備え、前記外蓋作動検出手段、前記内蓋作動検出手段、前記郵便物・異物有無判定手段及び前記郵便物・異物有無発信手段は、前記太陽電池の起電力に基づき電力供給を受けることを特徴とする請求項１９に記載の郵便物収集システム。
【請求項２４】
外面に太陽電池を備え、前記外蓋作動検出手段、前記内蓋作動検出手段、前記郵便物・異物有無判定手段、前記郵便物・異物有無発信手段及び前記リモコン錠は、前記太陽電池の起電力に基づき電力供給を受けることを特徴とする請求項２０に記載の郵便物収集システム。
【請求項２５】
外面に太陽電池を備え、前記外蓋作動検出手段、前記内蓋作動検出手段、前記郵便物・異物有無判定手段、前記郵便物・異物有無発信手段、前記リモコン錠、前記扉開閉検出手段及び前記収集作業表示手段は、前記太陽電池の起電力に基づき電力供給を受けることを特徴とする請求項２１又は２２に記載の郵便物収集システム。
【発明の詳細な説明】
【技術分野】
【０００１】
本発明は、郵便ポスト、及び、郵便ポストとリモコンとの組合せに係る郵便物収集システムに関する。
【背景技術】
【０００２】
従来、郵便ポストの投函口からはがき、封書等郵便物ではない異物例えば煙草、ガム等が投函されたときの郵便ポスト内部の汚染を防止することを課題とした郵便ポストが提案されており、この郵便ポストは、従前からの郵便物収容部の他に異物収容部を設けると共に、投函口の裏側に配設され郵便物及び異物の投函時に作動し投函口を開放する従前からの開閉蓋（外蓋）の他に、外蓋の奥に配され投函口に投函された郵便物によって作動し郵便物を郵便物収容部に案内する内蓋とを備えて構成されている（例えば、特許文献１参照）。
【０００３】
ところで、郵便物の収集は、通常、バイク等を郵便ポスト付近に止め、郵便ポストの鍵を開け、郵便物の有無を確認し、郵便物が入っていれば収集し、一方、郵便物が入っていなければ鍵を閉めて次の郵便ポストへ向かうというような方法で行われている。
【０００４】
しかし、郵便物が入っていないにもかかわらず鍵を開け内部を確認することは収集作業時間が増加することになり好ましくない。特に、近年、郵便局の統廃合により１つの郵便局当りの収集エリアが拡大し移動時間が長くなりつつあることや、道路交通法の一部改正により郵便物を収集するための駐車が行い難くなりつつあることなどを考えると、郵便物の収集作業時間の短縮は重要な課題といえる。
【特許文献１】特許第２７７４４６４号公報
【発明の開示】
【発明が解決しようとする課題】
【０００５】
本発明は、上記の点に鑑みなされたものであり、主として郵便物の収集作業時間の短縮を図ることができる郵便ポスト及び郵便物収集システムを提供することを目的とする。
【課題を解決するための手段】
【０００６】
本発明の郵便ポストは、投函口と、郵便物収容部と、異物収容部と、前記郵便物収容部内の郵便物の有無を検出する郵便物検出手段と、前記異物収容部内の異物の有無を検出する異物検出手段とを備えることを特徴とする。
【０００７】
本発明の郵便ポストによると、郵便物検出手段の検出結果に基づいて郵便物収容部内に郵便物が有るか否かを郵便ポストの外部から判断可能にすることができると共に、異物検出手段の検出結果に基づいて異物収容部内に異物が有るか否かを郵便ポストの外部から判断可能にすることができるため、郵便物収容部及び異物収容部のいずれにも郵便物及び異物が無い場合には、郵便ポストの鍵を開けないで次の郵便ポストに向かうことにより収集作業時間の短縮、及び駐車時間の大幅短縮を図ることができる。
【０００８】
また、前記郵便ポストは、郵便物取出し用扉の開閉を検出する扉開閉検出手段と、該扉開閉検出手段による扉開閉信号に基づいて郵便物収集回数を計数し表示する収集作業表示手段とを備える。収集作業表示手段の表示を視認することにより、収集作業回数を容易に確認することができるようになる。
【０００９】
ここで、前記扉開閉検出手段はスイッチからなる。スイッチは、オフ状態のときは電力を消費しないため、省電力に優れており、特に電源が太陽電池である場合に好ましい。
【００１０】
また、前記郵便ポストは、外面に太陽電池を備え、前記郵便物検出手段及び前記異物検出手段は、前記太陽電池の起電力に基づき電力供給を受ける。太陽電池を電源とすることにより、外部からの電力供給用の配線が不要になると共に永続的な電力供給が可能になる。
【００１１】
また、前記郵便ポストは、外面に太陽電池を備え、前記郵便物検出手段、前記異物検出手段、前記扉開閉検出手段及び前記収集作業表示手段は、前記太陽電池の起電力に基づき電力供給を受ける。太陽電池を電源とすることにより、外部からの電力供給用の配線が不要になると共に永続的な電力供給が可能になる。
【００１２】
本発明の郵便物収集システムは、前記郵便ポストであって、前記郵便物検出手段による郵便物有無信号及び前記異物検出手段による異物有無信号をそれぞれ無線で発信する郵便物・異物有無発信手段を備える郵便ポストと、前記郵便物・異物有無発信手段からの郵便物有無信号及び異物有無信号を受信可能なリモコンとからなる郵便物収集システムであって、前記リモコンは、前記郵便物・異物有無発信手段からの郵便物有無信号及び異物有無信号に基づいて郵便物の有無及び異物の有無を報知する報知手段を備えることを特徴とする。
【００１３】
本発明の郵便物収集システムによると、リモコンを操作することで、郵便物収容部内に郵便物が有るか否か、及び、異物収容部内に異物が有るか否かを報知手段によって認識可能になるため、郵便物収容部及び異物収容部のいずれにも郵便物及び異物が無い場合には、郵便ポストの鍵を開けないで次の郵便ポストに向かうことにより収集作業時間の短縮、及び駐車時間の大幅短縮を図ることができる。
【００１４】
ここで、前記郵便ポストは、郵便物取出し用扉を施錠及び開錠するリモコン錠を備え、前記リモコンは、前記リモコン錠に施錠指示信号及び開錠指示信号を発信する錠制御信号発信手段を備える。従来は、郵便ポストを開閉する作業を専用の鍵を用いて郵便物取出し用扉を開閉することによって行われていたが、リモコン及びリモコン錠を設けたことにより、郵便物取出し扉の開閉作業が容易になり、また、郵便物取出し用扉に鍵穴を設けなくて済むため、鍵穴に対する悪戯をなくすことができる。
【００１５】
また、前記郵便ポストは、郵便物取出し用扉の開閉を検出する扉開閉検出手段と、該扉開閉検出手段による扉開閉信号に基づいて郵便物収集回数を計数し収集回数信号を発信する収集作業発信手段とを備え、前記リモコンは、前記収集作業発信手段からの収集回数信号に基づいて郵便物収集回数を報知する収集作業報知手段を備える。リモコン操作により、収集作業回数を容易に確認することができるようになる。
【００１６】
ここで、前記扉開閉検出手段はスイッチからなる。スイッチは、オフ状態のときは電力を消費しないため、省電力に優れており、特に電源が太陽電池である場合に好ましい。
【００１７】
また、前記郵便ポストの外面に太陽電池を備え、前記郵便物検出手段、前記異物検出手段及び前記郵便物・異物有無発信手段は、前記太陽電池から電力供給を受ける。太陽電池を電源とすることにより、外部からの電力供給用の配線が不要になると共に永続的な電力供給が可能になる。
【００１８】
また、前記郵便ポストの外面に太陽電池を備え、前記郵便物検出手段、前記異物検出手段、前記郵便物・異物有無発信手段及び前記リモコン錠は、前記太陽電池から電力供給を受ける。太陽電池を電源とすることにより、外部からの電力供給用の配線が不要になると共に永続的な電力供給が可能になる。
【００１９】
また、前記郵便ポストの外面に太陽電池を備え、前記郵便物検出手段、前記異物検出手段、前記郵便物・異物有無発信手段、前記リモコン錠、前記扉開閉検出手段及び前記収集作業発信手段は、前記太陽電池から電力供給を受ける。太陽電池を電源とすることにより、外部からの電力供給用の配線が不要になると共に永続的な電力供給が可能になる。
【００２０】
本発明の他の郵便ポストは、投函口と、郵便物収容部と、異物収容部と、前記投函口の裏側に配設され、郵便物及び異物の投函時に作動し前記投函口を開放する外蓋と、前記投函口に投函された郵便物によって作動し該郵便物を前記郵便物収容部に案内する内蓋とを備える郵便ポストにおいて、前記外蓋の作動を検出する外蓋作動検出手段と、前記内蓋の作動を検出する内蓋作動検出手段と、前記外蓋作動検出手段からの外蓋作動信号及び前記内蓋作動検出手段からの内蓋作動信号に基づいて、所定期間内における前記郵便物収容部内の郵便物の有無及び前記異物収容部内の異物の有無を判定する郵便物・異物有無判定手段とを備える。
【００２１】
本発明の他の郵便ポストによると、外蓋が作動された後に内蓋も作動された場合には郵便物が郵便物収容部内に入ったものと判断でき、また、外蓋が作動された後に内蓋が作動されなかった場合には異物が異物収容部内に入ったものと判断できるため、郵便物・異物有無判定手段は、郵便物収容部内に郵便物が有るか否か、及び、異物収容部内に異物が有るか否かを判断でき、この郵便物・異物有無判定手段の判定結果に基づいて郵便ポストの外部から郵便物及び異物の有無を判断可能にすることができるため、郵便物収容部及び異物収容部のいずれにも郵便物及び異物が無い場合には、郵便ポストの鍵を開けないで次の郵便ポストに向かうことにより収集作業時間の短縮、及び駐車時間の大幅短縮を図ることができる。
【００２２】
ここで、前記外蓋作動検出手段及び前記内蓋作動検出手段はそれぞれスイッチからなる。スイッチは、オフ状態のときは電力を消費しないため、省電力に優れており、特に電源が太陽電池である場合に好ましい。
【００２３】
また、前記郵便ポストは、郵便物取出し用扉の開閉を検出する扉開閉検出手段と、該扉開閉検出手段による扉開閉信号に基づいて郵便物収集回数を計数し表示する収集作業表示手段とを備える。収集作業表示手段の表示を視認することにより、収集作業回数を容易に確認することができるようになる。
【００２４】
ここで、前記扉開閉検出手段はスイッチからなる。スイッチは、オフ状態のときは電力を消費しないため、省電力に優れており、特に電源が太陽電池である場合に好ましい。
【００２５】
また、前記郵便ポストは、外面に太陽電池を備え、前記外蓋作動検出手段、前記内蓋作動検出手段及び前記郵便物・異物有無判定手段は、前記太陽電池の起電力に基づき電力供給を受ける。太陽電池を電源とすることにより、外部からの電力供給用の配線が不要になると共に永続的な電力供給が可能になる。
【００２６】
また、前記郵便ポストは、外面に太陽電池を備え、前記外蓋作動検出手段、前記内蓋作動検出手段、前記郵便物・異物有無判定手段、前記扉開閉検出手段及び前記収集作業表示手段は、前記太陽電池の起電力に基づき電力供給を受ける。太陽電池を電源とすることにより、外部からの電力供給用の配線が不要になると共に永続的な電力供給が可能になる。
【００２７】
本発明の他の郵便物収集システムは、前記郵便ポストであって、前記郵便物・異物有無判定手段による郵便物・異物有無信号を無線で発信する郵便物・異物有無発信手段を備える郵便ポストと、前記郵便物・異物有無発信手段からの郵便物・異物有無信号を受信可能なリモコンとからなる郵便物収集システムであって、前記リモコンは、前記郵便物・異物有無発信手段からの郵便物・異物有無信号に基づいて郵便物の有無及び異物の有無を報知する報知手段を備えることを特徴とする。
【００２８】
本発明の他の郵便物収集システムによると、リモコンを操作することで、郵便物収容部内に郵便物が有るか否か、及び、異物収容部内に異物が有るか否かを報知手段によって認識可能になるため、郵便物収容部及び異物収容部のいずれにも郵便物及び異物が無い場合には、郵便ポストの鍵を開けないで次の郵便ポストに向かうことにより収集作業時間の短縮、及び駐車時間の大幅短縮を図ることができる。
【００２９】
ここで、前記郵便ポストは、郵便物取出し用扉を施錠及び開錠するリモコン錠を備え、前記リモコンは、前記リモコン錠に施錠指示信号及び開錠指示信号を発信する錠制御信号発信手段を備える。従来は、郵便ポストを開閉する作業を専用の鍵を用いて郵便物取出し用扉を開閉することによって行われていたが、リモコン及びリモコン錠を設けたことにより、郵便物取出し扉の開閉作業が容易になり、また、郵便物取出し用扉に鍵穴を設けなくて済むため、鍵穴に対する悪戯をなくすことができる。
【００３０】
また、前記郵便ポストは、郵便物取出し用扉の開閉を検出する扉開閉検出手段と、該扉開閉検出手段による扉開閉信号に基づいて郵便物収集回数を計数し収集回数信号を発信する収集作業発信手段とを備え、前記リモコンは、前記収集作業発信手段からの収集回数信号に基づいて郵便物収集回数を報知する収集作業報知手段を備える。リモコン操作により、収集作業回数を容易に確認することができるようになる。
【００３１】
ここで、前記扉開閉検出手段はスイッチからなる。スイッチは、オフ状態のときは電力を消費しないため、省電力に優れており、特に電源が太陽電池である場合に好ましい。
【００３２】
また、前記郵便ポストは、外面に太陽電池を備え、前記外蓋作動検出手段、前記内蓋作動検出手段、前記郵便物・異物有無判定手段及び前記郵便物・異物有無発信手段は、前記太陽電池の起電力に基づき電力供給を受ける。太陽電池を電源とすることにより、外部からの電力供給用の配線が不要になると共に永続的な電力供給が可能になる。
【００３３】
また、前記郵便ポストは、外面に太陽電池を備え、前記外蓋作動検出手段、前記内蓋作動検出手段、前記郵便物・異物有無判定手段、前記郵便物・異物有無発信手段及び前記リモコン錠は、前記太陽電池の起電力に基づき電力供給を受ける。太陽電池を電源とすることにより、外部からの電力供給用の配線が不要になると共に永続的な電力供給が可能になる。
【００３４】
また、前記郵便ポストは、外面に太陽電池を備え、前記外蓋作動検出手段、前記内蓋作動検出手段、前記郵便物・異物有無判定手段、前記郵便物・異物有無発信手段、前記リモコン錠、前記扉開閉検出手段及び前記収集作業表示手段は、前記太陽電池の起電力に基づき電力供給を受ける。太陽電池を電源とすることにより、外部からの電力供給用の配線が不要になると共に永続的な電力供給が可能になる。
【発明を実施するための最良の形態】
【００３５】
以下、本発明の実施形態を図面に基づいて説明する。
【００３６】
図１は、本発明の第１実施形態に係る郵便物収集システムの全体ブロック構成図、図２は、本発明の第２実施形態に係る郵便物収集システムの全体ブロック構成図、図３は、第１、第２実施形態に係る郵便物収集システムの構成要素である郵便ポストの内部構成を表す側面図、図４は、同郵便ポストの正面図、図５は、同郵便ポストの平面図、図６は、同じく同郵便ポストの平面図、図７は、同郵便ポストの背面図、図８は、同郵便ポストの電気系統図、図９は、本発明の一実施形態に係るリモコンの電気系統図、図１０は、集計表の説明図をそれぞれ示す。
【００３７】
図１において、第１実施形態に係る郵便物収集システムは、郵便ポスト１００と、郵便物収集作業者によって操作されるリモコン２００とで構成される。
【００３８】
郵便ポスト１００は、図３以降において具体的に説明するが、郵便物等が投函される投函口１と、投函口１から投函された郵便物を収容する郵便物収容部２と、投函口１から投函された異物を収容する異物収容部３を備える。
【００３９】
また、郵便ポスト１００は、電気系統として、郵便物収容部２内の郵便物の有無を検出する郵便物検出手段５１と、異物収容部３内の異物の有無を検出する異物検出手段５２を備える。ここで、郵便物検出手段５１は、郵便物収容部２内に郵便物が入ったことをスイッチング動作によって検出するスイッチ（例えば、マイクロスイッチ、リミットスイッチ、ロータリースイッチなど）、又は、音や光や圧力や高周波によって検出するセンサ（例えば、光センサ、赤外線センサ、測距センサ、カラーセンサ、感圧センサ、曲げセンサ、超音波センサ、振動センサ、音センサなど）により構成される。また、異物検出手段５２は、異物収容部３内に煙草やガムなどが入ったことをスイッチング動作によって検出するスイッチ（例えば、マイクロスイッチ、リミットスイッチ、ロータリースイッチなど）、又は、音や光や圧力や高周波によって検出するセンサ（例えば、光センサ、赤外線センサ、測距センサ、カラーセンサ、感圧センサ、曲げセンサ、超音波センサ、振動センサ、音センサなど）により構成される。郵便物検出手段５１及び異物検出手段５２の出力側には、郵便物検出手段５１による郵便物有無信号及び異物検出手段５２による異物有無信号をそれぞれ無線で発信可能な郵便物・異物有無発信手段５３が電気的に接続される。
【００４０】
また、郵便ポスト１００は、郵便物取出し用扉４を施錠及び開錠するリモコン錠５４を備える。
【００４１】
また、郵便ポスト１００は、郵便物取出し用扉４の開閉を検出する扉開閉検出手段５５と、扉開閉検出手段５５による扉開閉信号に基づいて郵便物収集回数を計数し表示する収集作業表示手段５６と、扉開閉検出手段５５による扉開閉信号に基づいて郵便物収集回数を計数し収集回数信号を発信する収集作業発信手段５７を備える。扉開閉検出手段５５は、郵便物取出し用扉の開閉をスイッチング動作によって検出するスイッチ（例えば、マイクロスイッチ、リミットスイッチ、ロータリースイッチなど）、又は、音や光や圧力や高周波によって検出するセンサ（例えば、光センサ、赤外線センサ、測距センサ、カラーセンサ、感圧センサ、曲げセンサ、超音波センサ、振動センサ、音センサなど）により構成される。
【００４２】
また、郵便ポスト１００の外面には太陽電池５８が備えられ、郵便物検出手段５１、異物検出手段５２、郵便物・異物有無発信手段５３、リモコン錠５４、扉開閉検出手段５５、収集作業表示手段５６及び収集作業発信手段５７は、太陽電池５８から電力供給を受ける。
【００４３】
リモコン２００は、郵便物収集作業者によって操作される。リモコン２００は、郵便物・異物有無発信手段５３からの郵便物有無信号及び異物有無信号に基づいて郵便物の有無及び異物の有無を報知する報知手段９１と、リモコン錠５４に施錠指示信号及び開錠指示信号を発信する錠制御信号発信手段９２と、収集作業発信手段５７からの収集回数信号に基づいて郵便物収集回数を報知する収集作業報知手段９３を備える。
【００４４】
図２において、第２実施形態に係る郵便物収集システムは、第１実施形態と同様、郵便ポスト１００とリモコン２００とで構成される。
【００４５】
郵便ポスト１００は、図３以降において具体的に説明するが、投函口１と、郵便物収容部２と、異物収容部３と、投函口１の裏側に配設され、郵便物及び異物の投函時に作動し投函口１を開放する外蓋５と、投函口１に投函された郵便物によって作動し郵便物を郵便物収容部２に案内する内蓋６を備える。
【００４６】
また、郵便ポスト１００は、電気系統として、外蓋５の作動を検出する外蓋作動検出手段５９Aと、内蓋６の作動を検出する内蓋作動検出手段５９Bと、外蓋作動検出手段５９Aからの外蓋作動信号及び内蓋作動検出手段５９Bからの内蓋作動信号に基づいて、所定期間内における郵便物収容部２内の郵便物の有無及び異物収容部３内の異物の有無を判定する郵便物・異物有無判定手段６０と、郵便物・異物有無判定手段６０による郵便物・異物有無信号を無線で発信する郵便物・異物有無発信手段５３を備える。
【００４７】
また、郵便ポスト１００は、郵便物取出し用扉４を施錠及び開錠するリモコン錠５４を備える。
【００４８】
また、郵便ポスト１００は、郵便物取出し用扉４の開閉を検出する扉開閉検出手段５５と、扉開閉検出手段５５による扉開閉信号に基づいて郵便物収集回数を計数し表示する収集作業表示手段５６と、扉開閉検出手段５５による扉開閉信号に基づいて郵便物収集回数を計数し収集回数信号を発信する収集作業発信手段５７を備える。
【００４９】
また、郵便ポスト１００の外面には太陽電池５８が備えられ、外蓋作動検出手段５９A、内蓋作動検出手段５９B、郵便物・異物有無判定手段６０、郵便物・異物有無発信手段５３、リモコン錠５４、扉開閉検出手段５５、収集作業表示手段５６及び収集作業発信手段５７は、太陽電池５８から電力供給を受ける。
【００５０】
リモコン２００は、郵便物・異物有無発信手段５３からの郵便物有無信号及び異物有無信号に基づいて郵便物の有無及び異物の有無を報知する報知手段９１と、リモコン錠５４に施錠指示信号及び開錠指示信号を発信する錠制御信号発信手段９２と、収集作業発信手段５７からの収集回数信号に基づいて郵便物収集回数を報知する収集作業報知手段９３を備える。
【００５１】
次に、図３〜図１０に基づいて郵便物収集システムを具体的に説明する。
【００５２】
A.  郵便ポスト１００
図３〜図７に示す郵便ポスト１００は、箱型のハウジング７を備え、ハウジング７の内部は、郵便物収容部２（郵便物収集袋等が設置される部位）を構成する。ハウジング７の正面壁部には、郵便物の投函口１が設けられる。ハウジング７の側面壁部は、郵便物取出し用扉４により構成される。ハウジング７の上面壁部には、太陽電池５８が配設される。
【００５３】
投函口１の裏側には、郵便物及び異物の投函時に支点５aを中心として回動し投函口１を開放する外蓋５が配設される。外蓋５の先（内側）には、投函口１に投函された郵便物によって支点６aを中心として回動し郵便物を郵便物収容部２に案内する内蓋６が配設される。外蓋５と内蓋６との間の下方には、投函口１から投函された煙草、ガム等異物を収容可能な異物収容部３が配設される。
【００５４】
外蓋５の近傍には、外蓋５の回動を検出する外蓋作動検出手段５９Aとしての外蓋スイッチ（例えばマイクロスイッチ）が配設される。内蓋６の近傍には、内蓋６の回動を検出する内蓋作動検出手段５９Bとしての内蓋スイッチ（例えばマイクロスイッチ）が配設される。郵便物取出し用扉４の近傍には、郵便物取出し用扉４の開閉を検出する扉開閉検出手段５５としての扉スイッチ（例えばマイクロスイッチ）が配設される。
【００５５】
郵便物取出し用扉４の内壁面には、ハウジング７の背面壁部に対し郵便物取出し用扉４を固着、離脱させることによって郵便物取出し用扉４を施錠及び開錠するリモコン錠５４が配設される。
【００５６】
また、郵便物取出し用扉４の内壁面には、後述する制御回路６１等が搭載された制御ボックス８（図３）が配設される。
【００５７】
制御ボックス８は、図８に示すような制御回路６１、充電回路６２、送信機６４、受信機６５、動作履歴管理回路６６及び履歴表示ユニット５６を備える。
【００５８】
制御回路６１の入力側には、外蓋スイッチ５９A、内蓋スイッチ５９B及び扉スイッチ５５が接続される。
【００５９】
また、制御回路６１には、太陽電池５８の起電力を充電回路６２を介して電気二重層コンデンサなど蓄電体６３に充電し、制御回路６１に給電する電源ラインが接続される。
【００６０】
また、制御回路６１には、リモコン２００との間で信号の送受信を行う送信機６４及び受信機６５が接続される。受信機６５は、後述するリモコン２００の送信機８８から送信されてくる確認信号、リセット信号、施錠指示信号及び開錠指示信号を受信する。送信機６４は、後述するメモリ回路６７に記憶されている情報をリモコン２００に送信する。送信機６４は、上記郵便物・異物有無発信手段５３及び収集作業発信手段５７として機能する。
【００６１】
また、制御回路６１の出力側には、動作履歴管理回路６６が接続され、動作履歴管理回路６６に、収集作業表示手段５６としての履歴表示ユニット５６が接続される。動作履歴管理回路６６は、扉スイッチ５５の動作回数つまり扉スイッチ５５がオンした回数を履歴表示ユニット５６に表示させる。また、動作履歴管理回路６６は、受信機６５で受信された確認信号に基づいてリモコン２００の確認ボタン８４の動作回数を履歴表示ユニット５６に表示させる。また、動作履歴管理回路６６は、外蓋スイッチ５９A、内蓋スイッチ５９B、扉スイッチ５５及び確認ボタン８４の各動作時刻を集計データとして保存する。
【００６２】
制御回路６１は、メモリ回路６７及びリセット回路６８を備える。メモリ回路６７は、外蓋スイッチ５９Aの動作及び内蓋スイッチ５９Bの動作を記憶する。リセット回路６８は、扉スイッチ５５が動作したとき、メモリ回路６７の記憶内容をリセットする。
【００６３】
B.  リモコン２００
図９において、リモコン２００は制御回路８２を備え、制御回路８２に電源としての蓄電体８３が接続される。
【００６４】
リモコン２００の外面には、郵便物収集作業者によって操作される確認ボタン８４、リセットボタン８５、施錠ボタン８６及び開錠ボタン８７が配設され、また、外蓋スイッチ５９Aの動作を報知するための外蓋LED８１A、内蓋スイッチ５９Bの動作を報知するための内蓋LED８１B、及び外蓋スイッチ５９A、内蓋スイッチ５９Bのいずれも動作していないことを報知するための未投函LED８１Cが配設される。
【００６５】
また、制御回路８２には、郵便ポスト１００の制御回路６１側との間で信号の送受信を行う送信機８８及び受信機８９が接続される。送信機８８は、確認ボタン８４が操作されたときには確認信号を送信し、リセットボタン８５が操作されたときにはリセット信号を送信し、施錠ボタン８６が操作されたときには施錠指示信号を送信し、開錠ボタン８７が操作されたときには開錠指示信号を送信する。送信機８８は、上記錠制御信号発信手段９２として機能する。受信機８９は、郵便ポスト１００側の送信機６４からメモリ回路６７の蓄積情報、つまり外蓋スイッチ５９Aの及び内蓋スイッチ５９Bの各動作の有無を受信する。
【００６６】
また、制御回路８２には、必要に応じてパソコン９０が無線で接続される。制御回路８２は、リモコン操作によって郵便ポスト１００側の動作履歴管理回路６６に保存されている集計データ、つまり外蓋スイッチ５９A、内蓋スイッチ５９B、扉スイッチ５５及び確認ボタン８４の各動作時刻を受信し、この集計データをパソコン９０に出力する。パソコン９０では、この集計データを集計表として表示する。
【００６７】
次に、郵便収集システムの動作を説明する。
【００６８】
A.  郵便物又は異物の投函時
郵便物が郵便ポスト１００に投函される場合、外蓋５が回動し、次に、外蓋５の下方を通過した郵便物によって内蓋６が回動し、郵便物は内蓋６の下方を通過して郵便物収容部２に落下する。このため、まず外蓋スイッチ５９Aがオンし、その直後に内蓋スイッチ５９Bがオンする。このとき、内蓋スイッチ５９Bの動作のみがメモリ回路６７に記憶され、また、外蓋スイッチ５９Aの動作時刻及び内蓋スイッチ５９Bの動作時刻は、動作履歴管理回路６６において、集計データとして保存される。
【００６９】
一方、異物が郵便ポスト１００に投函される場合、投函によって外蓋５は回動するが、外蓋５の下方を通過した異物は異物収容部３に落下し、内蓋６まで達することができないため、内蓋６は回動しない。このため、外蓋スイッチ５９Aのみがオンし、内蓋スイッチ５９Bはオンしない。この外蓋スイッチ５９Aの動作は、メモリ回路６７に記憶され、また、外蓋スイッチ５９Aの動作時刻は、動作履歴管理回路６６において集計データとして保存される。
【００７０】
郵便物及び異物の投函が無い場合、外蓋スイッチ５９A及び内蓋スイッチ５９Bのいずれもオンしない。このため、メモリ回路６７には、外蓋スイッチ５９A及び内蓋スイッチ５９Bの各動作は記憶されない。
【００７１】
B.  郵便物の収集作業時
郵便物収集作業者は、リモコン２００の確認ボタン８４を操作する。
【００７２】
確認ボタン８４が操作されると、リモコン２００の送信機８８から確認信号が送信され、郵便ポスト１００側の受信機６５で確認信号が受信される。確認信号を受信すると、制御回路６１は、メモリ回路６７の蓄積情報を送信機６４に出力し、送信機６４から蓄積情報がリモコン２００の受信機８９に送信される。また、確認信号を受信すると、動作履歴管理回路６６は、確認ボタン８４の動作回数を履歴表示ユニット５６に表示させると共に、確認ボタン８４の動作時刻を集計データとして保存する。
【００７３】
1.  郵便物が存在する場合
リモコン２００の受信機８９で受信された蓄積情報が、内蓋スイッチ５９Bの動作のみである場合、リモコン２００の内蓋LED８１Bが点灯する。郵便物収集作業者は、リモコン２００の内蓋LED８１Bが点灯したことを視認することにより、郵便物収容部２に郵便物が存在することを認識することができる。
【００７４】
そこで、郵便物収集作業者は、郵便ポスト１００の郵便物取出し用扉４を開放すべく、リモコン２００の開錠ボタン８７を操作する。開錠ボタン８７が操作されると、リモコン２００の送信機８８から開錠指示信号が郵便ポスト１００側に送信され、郵便ポスト１００側の受信機６５で開錠指示信号が受信される。制御回路６１は、開錠指示信号をリモコン錠５４に出力し、リモコン錠５４は開錠される。
【００７５】
リモコン錠５４の開錠後、郵便物収集作業者が郵便物取出し用扉４を開放すると、扉スイッチ５５がオンする。扉スイッチ５５がオンすると、リセット回路６８が作動し、メモリ回路６７がリセットされる。また、扉スイッチ５５がオンすると、動作履歴管理回路６６は、扉スイッチ５５の動作回数を履歴表示ユニット５６に表示させると共に、扉スイッチ５５の動作時刻を集計データとして保存する。
【００７６】
郵便物収集作業者は、郵便物収容部２から郵便物を取出した後、郵便物取出し用扉４を閉め、リモコン２００の施錠ボタン８６を操作する。施錠ボタン８６が操作されると、リモコン２００の送信機８８から施錠指示信号が郵便ポスト１００側に送信され、郵便ポスト１００側の受信機６５で施錠指示信号が受信される。制御回路６１は、施錠指示信号をリモコン錠５４に出力し、リモコン錠５４は施錠される。郵便収集作業者は、最終的にリモコン２００のリセットボタン８５を操作する。この操作により、外蓋LED８１A及び内蓋LED８１Bが消灯する。
【００７７】
2.  異物が存在する場合
リモコン２００の受信機８９で受信された蓄積情報が、外蓋スイッチ５９Aの動作のみである場合、リモコン２００の外蓋LED８１Aのみが点灯する。郵便物収集作業者は、リモコン２００の外蓋LED８１Aが点灯したことを視認することにより、異物収容部２に異物が存在することを認識することができる。
【００７８】
そこで、郵便物収集作業者は、郵便ポスト１００の郵便物取出し用扉４を開放すべく、リモコン２００の開錠ボタン８７を操作する。開錠ボタン８７が操作されると、リモコン２００の送信機８８から開錠指示信号が郵便ポスト１００側に送信され、郵便ポスト１００側の受信機６５で開錠指示信号が受信される。制御回路６１は、開錠指示信号をリモコン錠５４に出力し、リモコン錠５４は開錠される。
【００７９】
リモコン錠５４の開錠後、郵便物収集作業者が郵便物取出し用扉４を開放すると、扉スイッチ５５がオンする。扉スイッチ５５がオンすると、リセット回路６８が作動し、メモリ回路６７がリセットされる。また、扉スイッチ５５がオンすると、動作履歴管理回路６６は、扉スイッチ５５の動作回数を履歴表示ユニット５６に表示させると共に、扉スイッチ５５の動作時刻を集計データとして保存する。
【００８０】
郵便物収集作業者は、異物収容部３から異物を取出した後、郵便物取出し用扉４を閉め、リモコン２００の施錠ボタン８６を操作する。施錠ボタン８６が操作されると、リモコン２００の送信機８８から施錠指示信号が郵便ポスト１００側に送信され、郵便ポスト１００側の受信機６５で施錠指示信号が受信される。制御回路６１は、施錠指示信号をリモコン錠５４に出力し、リモコン錠５４は施錠される。郵便収集作業者は、最終的にリモコン２００のリセットボタン８５を操作する。この操作により、外蓋LED８１Aが消灯する。
【００８１】
3.  郵便物及び異物の両方が存在する場合
郵便物の投函により、メモリ回路６７に内蓋スイッチ５９Bの動作が記憶され、また、異物の投函により、メモリ回路６７に外蓋スイッチ５９Aの動作が記憶されているため、外蓋LED８１A及び内蓋LED８１Bの両方が点灯し、郵便物と異物の両方が存在することが認識される。
【００８２】
4.  郵便物及び異物の両方が存在しない場合
外蓋スイッチ５９A及び内蓋スイッチ５９Bの両方とも動作していないため、郵便物収集作業者がリモコン２００の確認ボタン８４を操作したとき、リモコン２００の未投函LED８１Cが点灯し、郵便物収集作業者は、この未投函LED８１Cの点灯状態から郵便ポスト１００に郵便物、異物のいずれも存在しないことを認識できる。この場合、確認ボタン８４の動作回数が履歴表示ユニット５６に表示されると共に、確認ボタン８４の動作時刻が動作履歴管理回路６６に集計データとして保存される。郵便収集作業者は、最終的にリモコン２００のリセットボタン８５を操作する。この操作により、未投函LED８１Cが消灯する。
【００８３】
C.  集計データの収集
動作履歴管理回路６６に保存されている集計データは、上記リモコン２００の確認ボタン８４が操作されたときに、その都度リモコン２００に送信されてリモコン２００に保存される。あるいは、上記リモコン２００とは別個のリモコンを操作して、当該リモコンが操作されたときに、集計データを当該リモコンに送信し保存するようにしてもよい。リモコン２００に保存された集計データは、適宜パソコン９０に転送され、パソコン９０上で図１０に示すような集計表として表示される。パソコン９０は、上記収集作業報知手段８３として機能する。
【００８４】
図１０図示の集計表において、外蓋スイッチ５９Aの動作時刻と内蓋スイッチ５９Bの動作時刻が同時刻（１分以内の差がある場合を含む。）である場合は、正規の郵便物が投函されたことになり、外蓋スイッチ５９Aの動作時刻と内蓋スイッチ５９Bの動作時刻とが同時刻でない場合は、異物が投函されたことになる。
【００８５】
したがって、図１０図示の集計表において、郵便物収集時刻１０時から１４時の間では、１０時５１分に郵便物が投函され、１０時５３分、５４分にそれぞれ異物が投函され、１１時に郵便物が投函され、１２時に異物が投函され、１３時４０分に異物が投函されたことが分かる。また、扉スイッチ５５の動作時刻から１４時に郵便物収集作業が行われたことが分かる。また、郵便物収集時刻１４時から１６までの間では、１５時に郵便物が投函されたことが分かる。また、扉スイッチ５５の動作時刻から１６時に郵便物収集作業が行われたことが分かる。また、郵便物収集時刻１６時から１８時までの間では、郵便物及び異物の投函がなかったことが分かる。また、郵便物収集時刻１８時においては、扉スイッチ５５が動作してないことから、郵便物収集作業が行われなかったことが分かる。
【００８６】
以上説明したように、本実施形態の郵便ポスト１００は、投函口１と、郵便物収容部２と、異物収容部３と、投函口１の裏側に配設され、郵便物及び異物の投函時に作動し投函口１を開放する外蓋５と、投函口１に投函された郵便物によって作動し郵便物を郵便物収容部２に案内する内蓋６とを備え、外蓋５の作動を検出する外蓋スイッチ５９A（外蓋作動検出手段、郵便物検出手段５１及び異物検出手段５２に対応する。）と、内蓋６の作動を検出する内蓋スイッチ５９B（内蓋作動検出手段、郵便物検出手段５１及び異物検出手段５２に対応する。）と、外蓋スイッチ５９Aからの外蓋作動信号及び内蓋スイッチ５９Bからの内蓋作動信号に基づいて、所定期間内における郵便物収容部２内の郵便物の有無及び異物収容部３内の異物の有無を判定する制御回路６１（郵便物・異物有無判定手段６０に対応する。）を備える。この郵便ポスト１００によると、外蓋５が作動された後に内蓋６も作動された場合には郵便物が郵便物収容部２内に入ったものと判断でき、また、外蓋５が作動された後に内蓋６が作動されなかった場合には異物が異物収容部３内に入ったものと判断できるため、制御回路６１は、郵便物収容部２内に郵便物が有るか否か、及び、異物収容部３内に異物が有るか否かを判断でき、この制御回路６１の判定結果に基づいて郵便ポスト１００の外部から郵便物及び異物の有無を判断可能にすることができるため、郵便物収容部２及び異物収容部３のいずれにも郵便物及び異物が無い場合には、郵便ポスト１００の鍵を開けないで次の郵便ポストに向かうことにより収集作業時間の短縮、及び駐車時間の大幅短縮を図ることができる。
【００８７】
また、外蓋スイッチ５９A及び内蓋スイッチ５９Bはそれぞれスイッチからなるため、省電力に優れ、特に電源が太陽電池である場合に好ましい。
【００８８】
また、郵便ポスト１００は、郵便物取出し用扉４の開閉を検出する扉スイッチ５５（扉開閉検出手段）と、扉スイッチ５５による扉開閉信号に基づいて郵便物収集回数を計数し表示する履歴表示ユニット（収集作業表示手段）５６とを備える。履歴表示ユニット５６の表示を視認することにより、収集作業回数を容易に確認することができるようになる。
【００８９】
また、扉スイッチ５５はスイッチからなるため、省電力に優れ、特に電源が太陽電池である場合に好ましい。
【００９０】
また、郵便ポスト１００は、外面に太陽電池５８を備えるため、外部からの電力供給用の配線が不要になると共に永続的な電力供給が可能になる。
【００９１】
また、リモコン２００は、送信機６４からの郵便物・異物有無信号に基づいて郵便物の有無及び異物の有無を報知する外蓋LED８１A、内蓋LED８１B、未投函LED８１Cつまり報知手段９１を備え、リモコン２００を操作することで、郵便物収容部２内に郵便物が有るか否か、及び、異物収容部３内に異物が有るか否かを認識可能になる。このため、郵便物収容部２及び異物収容部３のいずれにも郵便物及び異物が無い場合には、郵便ポスト１００の鍵を開けないで次の郵便ポストに向かうことにより収集作業時間の短縮、及び駐車時間の大幅短縮を図ることができる。
【００９２】
また、郵便ポスト１００は、郵便物取出し用扉４を施錠及び開錠するリモコン錠５４を備え、リモコン２００は、リモコン錠５４に施錠指示信号及び開錠指示信号を発信する施錠ボタン８６、開錠ボタン８７、制御回路８２、送信機８８つまり錠制御信号発信手段９２を備える。従来は、郵便ポスト１００を開閉する作業を専用の鍵を用いて郵便物取出し用扉４を開閉することによって行われていたが、リモコン２００及びリモコン錠５４を設けたことにより、郵便物取出し扉４の開閉作業が容易になり、また、郵便物取出し用扉４に鍵穴を設けなくて済むため、鍵穴に対する悪戯をなくすことができる。
【００９３】
また、郵便ポスト１００は、郵便物取出し用扉４の開閉を検出する扉スイッチ（扉開閉検出手段）５５と、扉スイッチ５５による扉開閉信号に基づいて郵便物収集回数を計数し収集回数信号を発信する動作履歴管理回路６６、制御回路６１、送信機６４つまり収集作業発信手段５７とを備え、リモコン２００は、収集作業発信手段５７からの収集回数信号に基づいて郵便物収集回数を報知するパソコン９０つまり収集作業報知手段９３を備える。リモコン操作により、収集作業回数を容易に確認することができるようになる。
【００９４】
また、扉スイッチ５５はスイッチからなるため、省電力に優れ、特に電源が太陽電池である場合に好ましい。
【００９５】
また、郵便ポスト１００は、外面に太陽電池５８を備え、外蓋スイッチ５９A、内蓋スイッチ５９B、扉スイッチ５５、制御回路６１、動作履歴管理回路６６、履歴表示ユニット５６、送信機６４、受信機６５、リモコン錠５４は、太陽電池５８の起電力に基づき電力供給を受ける。太陽電池５８を電源とすることにより、外部からの電力供給用の配線が不要になると共に永続的な電力供給が可能になる。
【００９６】
なお、太陽電池５８は、郵便ポスト１００を寒冷地仕様とする場合、ハウジング７の側面に配設したり、ハウジング７の上面壁部を四角錐状など上方へ突出させた形状にして着雪を防止可能に構成し、この突出部に配設することが好ましい。
【図面の簡単な説明】
【００９７】
【図１】本発明の第１実施形態に係る郵便物収集システムの全体ブロック構成図である。
【図２】本発明の第２実施形態に係る郵便物収集システムの全体ブロック構成図である。
【図３】第１、第２実施形態に係る郵便物収集システムの構成要素である郵便ポストの内部構成を表す側面図である。
【図４】同郵便ポストの正面図である。
【図５】同郵便ポストの平面図である。
【図６】同じく同郵便ポストの平面図である。
【図７】同郵便ポストの背面図である。
【図８】同郵便ポストの電気系統図である。
【図９】本発明の一実施形態に係るリモコンの電気系統図である。
【図１０】集計表の説明図である。
【符号の説明】
【００９８】
１    投函口
２    郵便物収容部
３    異物収容部
４    郵便物取出し用扉
５    外蓋
６    内蓋
５１    郵便物検出手段
５２    異物検出手段
５３    郵便物・異物有無発信手段
５４    リモコン錠
５５    扉開閉検出手段
５６    収集作業表示手段
５７    収集作業発信手段
５８    太陽電池
５９A    外蓋作動検出手段
５９B    内蓋作動検出手段
６０    郵便物・異物有無判定手段
６１    制御回路
６４    送信機
６５    受信機
６６    動作履歴管理回路
６７    メモリ回路
６８    リセット回路
８１A    外蓋LED
８１B    内蓋LED
８１C    未投函LED
８２    制御回路
８４    確認ボタン
８５    リセットボタン
８６    施錠ボタン
８７    開錠ボタン
８８    送信機
８９    受信機
９０    パソコン
９１    報知手段
９２    錠制御信号発信手段
９３    収集作業報知手段
１００    郵便ポスト
２００    リモコン
【図１】
2008113867.tif 000003
【図２】
2008113867.tif 000004
【図３】
2008113867.tif 000005
【図４】
2008113867.tif 000006
【図５】
2008113867.tif 000007
【図６】
2008113867.tif 000008
【図７】
2008113867.tif 000009
【図８】
2008113867.tif 000010
【図９】
2008113867.tif 000011
【図１０】
2008113867.tif 000012